(57)【特許請求の範囲】
【請求項１】
地面上に立て、かつ、設計法面上に垂直に立てた状態で、該設計法面に沿って水平方向に間隔をもって設けられた複数の支持板と、
隣接する各支持板間の空間に堆積された堆積砂利と、
隣接する各支持板の前端縁部間に渡して、両端部をそれぞれ固定された石板と、前記堆積砂利の上面であって、前記石板に囲まれた場所に、一群の自然岩が配設された岩壁とからなり、
前記石板および前記岩壁が、法面を形成している
ことを特徴とする擁壁。
【請求項２】
前記石板が、長方形状であり、
前記石板と前記岩壁とが水平方向に交互に配置され、
前記石板と前記岩壁とが垂直方向に交互に配置された
ことを特徴とする請求項１記載の擁壁。
【請求項３】
前記支持板に、その表裏面を貫通する貫通孔が形成された
ことを特徴とする請求項１または２記載の擁壁。
【発明の詳細な説明】
【０００１】
【発明の属する技術分野】
本発明は、擁壁に関する。道路工事や河川工事、治山工事等において、切土の法面の保護や盛土の土止めなどのために、山の斜面を切り崩す必要がある。切り崩された山の斜面を設計法面という。本発明は、土砂崩れ等の災害を防止するために、設計法面に施工される擁壁に関する。
【０００２】
【従来の技術】
図４は従来の擁壁の概略斜視図である。同図において、符号Ｎは、設計法面を示している。この設計法面Ｎに擁壁１０１  が施工されている。従来の擁壁１０１  は、コンクリートもしくは鉄筋コンクリート製の壁状の構造物であり、その背面は、設計法面からの土圧を受け止める受圧面となっている。この擁壁１０１  によって、土砂が崩れたり、その土砂が道路等に押し寄せるのを防止しているのである。従来の擁壁１０１  は、設計法面Ｎから受ける受圧面が広く、しかも全ての受圧面がコンクリート製もしくは鉄筋コンクリート製なので、頑強である。
【０００３】
【発明が解決しようとする課題】
しかるに、従来の擁壁１０１  は、設計法面Ｎの全面をコンクリート等で被覆しているので、虫や菌などの生物のすみかとしては最悪であり、生態系が破壊されているという問題がある。
また、従来の擁壁１０１  は、設計法面Ｎの全面をコンクリート等で被覆しているので、いかにも人工的で無味乾燥であり、人を寄せつけない冷たい外観であるという問題がある。
【０００４】
本発明はかかる事情に鑑み、自然な感じの外観を演出し生態系を保つことができるにも拘らず、頑強で土砂崩れ等を防止でき安全な擁壁を提供することを目的とする。
【０００５】
【課題を解決するための手段】
請求項１の擁壁は、地面上に立て、かつ、設計法面上に垂直に立てた状態で、該設計法面に沿って水平方向に間隔をもって設けられた複数の支持板と、隣接する各支持板間の空間に堆積された堆積砂利と、隣接する各支持板の前端縁部間に渡して、両端部をそれぞれ固定された石板と、前記堆積砂利の上面であって、前記石板に囲まれた場所に、一群の自然岩が配設された岩壁とからなり、前記石板および前記岩壁が、法面を形成していることを特徴とする。
請求項２の擁壁は、請求項１記載の発明において、前記石板が、長方形状であり、前記石板と前記岩壁とが水平方向に交互に配置され、前記石板と前記岩壁とが垂直方向に交互に配置されたことを特徴とする。
請求項３の擁壁は、請求項１または２記載の発明において、前記支持板に、その表裏面を貫通する貫通孔が形成されたことを特徴とする。
【０００６】
本発明において、自然岩とは、山の斜面を切り崩す際に出土する大きな岩を含む概念である。
【０００７】
【発明の実施の形態】
つぎに、本発明の実施形態を図面に基づき説明する。
図１は本実施形態の擁壁の正面図である。図２は図１のＩＩ−ＩＩ線矢視断面図である。図３は図１のＩＩＩ  −ＩＩＩ  線矢視断面図である。図１〜３に示すように、本実施形態の擁壁は、支持板１０、推積砂利２０、石板３０および岩壁４０から構成されている。符号５０は天板を示している。
符号Ｎは、本実施形態の擁壁を施工すべき設計法面を示している。
【０００８】
まず、支持板１０を説明する。
設計法面Ｎには、コンクリートや鉄筋コンクリート製で板状の複数の支持板１０が、設計法面Ｎの水平方向に間隔をもって配設され、いずれも打設されている。各支持板１０は、いずれも地面Ｅに立てられ、かつ、設計法面Ｎ上に垂直に立てられた状態で設けられている。
各支持板１０には、その表裏面を貫通する貫通孔１１が適所に形成されている。支持板１０に貫通孔１１が形成されている理由については、後述する。
【０００９】
つぎに、推積砂利２０を説明する。隣接する支持板１０の間の空間には、推積砂利２０が推積されている。推積砂利２０を構成する砂利は、その粒度が４０ｍｍ以下程度のものが好適である。推積砂利２０は、コンクリート等と異なり、細かな空間を多く有しており、空気や湿気を保持することができ、虫や菌などの生物のすみかとして好適である。
【００１０】
しかも、堆積砂利２０は、左右両側の支持板１０，１０によって挟まれているので、設計法面Ｎからの土圧を受け止めることができるのである。したがって、前記支持板１０および推積砂利２０のそれぞれの背面が、設計法面Ｎからの土圧を受け止める受圧面となっている。支持板１０および推積砂利２０によって、土砂が崩れたり、その土砂が道路等に押し寄せるのを防止できるという効果を奏する。
【００１１】
つぎに、石板３０を説明する。
石板３０は、石板本体３１の裏面にコンクリート板３２が重ね合わされ、この石板本体３１およびコンクリート板３２がフック３３によって接合されたものである。
石板本体３１は、長方形状であって、その素材は例えば花崗岩である。
コンクリート板３２は、コンクリートもしくは鉄筋コンクリート製であり、前記石板本体３１と同形状のものである。
フック３３は、鉄製で鉤状のものである。
なお、石板本体３１は、その表面が割肌などが見栄えがよく好適である。
【００１２】
前記隣接する各対の支持板１０，１０の前端縁部間に、石板３０が横倒した状態で、その両端部をフック等で取り付けられている。このため、各石板３０は一対の支持板１０，１０によって、確実に固定されているのである。
【００１３】
つぎに、岩壁４０を説明する。
岩壁４０は、一群の自然岩４１から構成されたものである。この自然岩４１としては、山の斜面を切り崩す際に出土する大きな岩を使用すればよい。一群の自然岩４１が、堆積砂利２０の上面であって、支持板１０に囲まれた場所に、岩壁４０として配設されている。隣接する自然岩４１，４１は一部が接触しているのみであり、岩壁４０全体としては隙間が形成されているのである。
【００１４】
つぎに、石板３０および岩壁４０の配置パターンを説明する。
前記石板３０および岩壁４０が、本実施形態の擁壁の法面を形成しているのである。
複数の石板３０と岩壁４０とが、水平方向において、交互に配設されている。また、複数の石板３０と岩壁４０とが、垂直方向において、交互に配設されている。岩壁４０は、支持板１０によって囲まれているので、頑強である。しかも、岩壁４０の一群の自然岩４１は隙間をもって配設されているので、虫や菌などの生物のすみかとして好適である。また、虫等の生物は、岩壁４０の一群の自然岩４１の隙間を通って、外界と堆積砂利２０との間を自由に往復することができるのである。
【００１５】
つぎに、本実施形態の擁壁の作用・効果を説明する。
本実施形態の擁壁は、支持板１０および推積砂利２０によって、設計法面Ｎからの土圧に抵抗しうるので、頑強であるという効果を奏する。
【００１６】
しかも、本実施形態の擁壁は、その法面が石板３０と岩壁４０とから形成されたものであるので、コンクリートや鉄筋コンクリート等で塗り固められた従来の擁壁に比べて、自然な感じの外観を演出することができるという効果を奏する。
【００１７】
そして、推積砂利２０および岩壁４０はいずれも、コンクリートや鉄筋コンクリート等で塗り固められた従来の擁壁と異なり、その表裏間を完全に閉鎖してしまうものでなく、その間を空気や湿気、種々の虫や菌が自由に往復することができる。よって、本実施形態の擁壁によれば、生態系を保つことができるという効果を奏する。
【００１８】
さらに、支持板１０には、貫通孔１１が形成されているので、この貫通孔１１の両側の推積砂利２０，２０の間を、空気や湿気、種々の虫や菌が自由に往復することができるので、より生態系を保つことができるという効果を奏する。
【００１９】
本実施形態の擁壁によれば、自然な感じの外観を演出し生態系を保つことができるにも拘らず、頑強な擁壁を提供するという効果を奏する。
【００２０】
【発明の効果】
請求項１の擁壁によれば、自然な感じの外観を演出し生態系を保つことができるにも拘らず、頑強で土砂崩れ等を防止でき安全である。
請求項２の擁壁によれば、自然な感じの外観を演出し生態系を保つことができる。
請求項３の擁壁によれば、空気や湿気、種々の虫や菌が支持板の貫通孔の間を自由に往復できるので、より生態系を保つことができる。
【図面の簡単な説明】
【図１】本実施形態の擁壁の正面図である。
【図２】図１のＩＩ−ＩＩ線矢視断面図である。
【図３】図１のＩＩＩ  −ＩＩＩ  線矢視断面図である。
【図４】従来の擁壁の概略斜視図である。
【符号の説明】
１０  支持板
１１  貫通孔
２０  推積砂利
３０  石板
４０  岩壁
４１  自然岩
Ｎ  設計法面
【図１】
0003614407.tif 000002
【図２】
0003614407.tif 000003
【図３】
0003614407.tif 000004
【図４】
0003614407.tif 000005